(57)【特許請求の範囲】
【請求項１】
無線通信システムにおけるデータ受信方法であって、
無線機器が、複数のサブフレームのうち、拡張変調方式がサポートされる少なくとも１つの拡張サブフレームを指示する拡張サブフレーム情報を構成するステップと、
前記無線機器が、前記少なくとも１つの拡張サブフレームにおいて、前記拡張変調方式を指示する変調符号化方式（ＭＣＳ）フィールドを有する下りリンク制御情報を下りリンク制御チャネル上で構成するステップと、
前記無線機器が、前記下りリンク制御情報に応じて、下りリンクデータを下りリンク共有チャネル上で受信するステップと、を有し、
前記拡張サブフレームと前記複数のサブフレームのうち前記拡張サブフレームでない非拡張サブフレームとで前記ＭＣＳフィールドのためのＭＣＳテーブルが互いに異なる、データ受信方法。
【請求項２】
前記拡張サブフレームは、変調次数８を有する変調方式をサポートし、前記非拡張サブフレームは、８より小さい変調次数を有する変調方式をサポートする、請求項１に記載のデータ受信方法。
【請求項３】
前記拡張変調方式は、２５６直交振幅変調（ＱＡＭ）を有する、請求項１に記載のデータ受信方法。
【請求項４】
前記ＭＣＳフィールドは、前記拡張サブフレームと前記非拡張サブフレームとで互いに異なるビット数を有する、請求項２に記載のデータ受信方法。
【請求項５】
前記ＭＣＳフィールドは、前記拡張サブフレームと前記非拡張サブフレームとで同じビット数を有する、請求項２に記載のデータ受信方法。
【請求項６】
前記拡張サブフレーム情報は、複数の拡張フレームセットに関する情報を有し、
前記複数の拡張フレームセットの各々に対してＭＣＳテーブルが定義される、請求項１に記載のデータ受信方法。
【請求項７】
前記複数の拡張フレームセットのための複数のＭＣＳテーブルの各々のうち少なくとも１つは、前記拡張変調方式を有する拡張ＭＣＳテーブルであり、
前記拡張ＭＣＳテーブルと関連付けられるチャネル品質インジケータ（ＣＱＩ）テーブルは、前記拡張変調方式を有する、請求項６に記載のデータ受信方法。
【請求項８】
無線通信システムにおける無線機器であって、
無線信号を送信及び受信する無線周波数（ＲＦ）部と、
前記ＲＦ部に接続されるプロセッサと、を備え、
前記プロセッサは、
複数のサブフレームのうち、拡張変調方式がサポートされる少なくとも１つの拡張サブフレームを指示する拡張サブフレーム情報を前記ＲＦ部を介して構成し、
前記少なくとも１つの拡張サブフレームにおいて、前記拡張変調方式を指示する変調符号化方式（ＭＣＳ）フィールドを有する下りリンク制御情報を下りリンク制御チャネル上で前記ＲＦ部を介して構成し、
前記下りリンク制御情報に応じて、下りリンクデータを下りリンク共有チャネル上で前記ＲＦ部を介して受信し、
前記拡張サブフレームと前記複数のサブフレームのうち前記拡張サブフレームでない非拡張サブフレームとで前記ＭＣＳフィールドのためのＭＣＳテーブルが互いに異なる、無線機器。
【請求項９】
前記拡張サブフレームは、変調次数８を有する変調方式をサポートし、前記非拡張サブフレームは、８より小さい変調次数を有する変調方式をサポートする、請求項８に記載の無線機器。
【請求項１０】
前記拡張変調方式は、２５６直交振幅変調（ＱＡＭ）を有する、請求項８に記載の無線機器。
【発明の詳細な説明】
【技術分野】
【０００１】
本発明は、無線通信に関し、より詳細には、無線通信システムにおいて、より高い変調次数をサポート（支援）する（support）データ受信方法及びより高い変調次数をサポートするデータ受信方法を利用した無線機器に関する。
【背景技術】
【０００２】
３ＧＰＰ（3rd Generation Partnership Project）ＴＳ（Technical Specification）リリース（Release）８−１１に基づくＬＴＥ（Long Term Evolution）／ＬＴＡ−Ａ（LTE-Advanced）は、広く使用されている移動通信標準である。最近では、より高い効率を有する次世代移動通信の標準化が進行中である。
【０００３】
増加するデータトラフィックに対処するために、移動通信システムの送信容量を増加させる様々な技術が導入されている。例えば、複数のアンテナを使用するＭＩＭＯ（Multiple Input Multiple Output）技術、複数のセルをサポートするキャリアアグリゲーション（搬送波集成）（carrier aggregation）技術、より高い変調方式などが考慮されている。
【０００４】
新しく導入される技術は、様々な条件下のシナリオとレガシ機器との互換性を考慮することが必要である。
【発明の概要】
【発明が解決しようとする課題】
【０００５】
本発明は、無線通信システムにおいて、より高い変調次数をサポートするデータ受信方法及びより高い変調次数をサポートするデータ受信方法を利用した無線機器に関するものである。
【課題を解決するための手段】
【０００６】
一態様において、無線通信システムにおいてデータ受信方法が提供される。この方法は、無線機器が、複数のサブフレームのうち、拡張変調方式がサポートされる少なくとも１つの拡張サブフレームを指示する拡張サブフレーム情報を受信するステップと、無線機器が、少なくとも１つの拡張サブフレームにおいて、拡張変調方式を指示する変調符号化方式（Modulation and Coding Scheme；ＭＣＳ）フィールドを有する下りリンク制御情報を下りリンク制御チャネル上で受信するステップと、無線機器が、下りリンク制御情報に応じて、下りリンクデータを下りリンク共有チャネル上で受信するステップと、を有する。
【０００７】
拡張サブフレームは、変調次数８を有する変調方式をサポートし、複数のサブフレームのうち、拡張サブフレームでない非拡張サブフレームは、８より小さい変調次数を有する変調方式をサポートできる。
【０００８】
ＭＣＳフィールドは、拡張サブフレームと非拡張サブフレームとで互いに異なるビット数を有することができる。
【０００９】
他の態様において、無線通信システムにおける無線機器は、無線信号を送信及び受信する無線周波数（Radio Frequency；ＲＦ）部と、ＲＦ部に接続（連結）される（connected）プロセッサと、を備え、プロセッサは、複数のサブフレームのうち、拡張変調方式がサポートされる少なくとも１つの拡張サブフレームを指示する拡張サブフレーム情報をＲＦ部を介して受信し、少なくとも１つの拡張サブフレームにおいて、拡張変調方式を指示する変調符号化方式（Modulation and Coding Scheme；ＭＣＳ）フィールドを有する下りリンク制御情報を下りリンク制御チャネル上でＲＦ部を介して受信し、下りリンク制御情報に応じて下りリンクデータを下りリンク共有チャネル上でＲＦ部を介して受信することができる。
【発明の効果】
【００１０】
種々の環境でより高いデータレートをサポートできる。
【図面の簡単な説明】
【００１１】
【図１】３ＧＰＰ  ＬＴＥにおける下りリンク無線フレームの構造を示す図である。
【図２】ＥＰＤＣＣＨを有するサブフレームの一例を示す図である。
【図３】本発明の一実施形態に係る通信方法を示す図である。
【図４】本発明の一実施形態に係るデータ受信方法を示す図である。
【図５】本発明の実施形態が実現される無線通信システムを示したブロック図である。
【発明を実施するための形態】
【００１２】
無線機器（wireless device）は、固定される（fixed）か、移動性を有することができ、ＵＥ（User Equipment）、ＭＳ（Mobile Station）、ＭＴ（Mobile Terminal）、ＵＴ（User Terminal）、ＳＳ（Subscriber Station）、ＰＤＡ（Personal Digital Assistant）、無線モデム（wireless modem）、携帯機器（handheld device）等、他の用語で呼ばれることができる。或いは、無線機器は、ＭＴＣ（Machine-Type Communication）機器のように、データ通信のみをサポートする機器でありうる。
【００１３】
基地局（Base Station；ＢＳ）は、一般に、無線機器と通信する固定局（固定された地点）fixed station）をいい、ｅＮＢ（evolved-NodeB）、ＢＴＳ（Base Transceiver System）、アクセスポイント（Access Point）等、他の用語で呼ばれることができる。
【００１４】
以下では、３ＧＰＰ（3rd Generation Partnership Project）  ＴＳ（Technical Specification）リリース（Release）８−１１に基づく３ＧＰＰ  ＬＴＥ（Long Term Evolution）／ＬＴＥ−Ａ（LTE-Advanced）に基づいて本発明が適用されることを記述する。しかしながら、これは、例示に過ぎず、本発明は、様々な無線通信ネットワークに適用され得る。以下においてＬＴＥとは、ＬＴＥ及び／又はＬＴＥ−Ａを含む。
【００１５】
無線機器は、複数のサービングセルによりサービスを提供（サービング）され（served）得る。各サービングセルは、１つのＤＬ（DownLink）  ＣＣ（Component Carrier）又はＤＬ  ＣＣとＵＬ（UpLink）  ＣＣとのペアとして定義されることができる。
【００１６】
サービングセルは、プライマリ（１次）セル（primary cell）とセカンダリ（２次）セル（secondary cell）とに分けられ得る。プライマリセルは、プライマリ周波数で動作し、初期ネットワークエントリ（連結確立）（initial network entry）処理（プロセス）（process）を行うか、又は、ネットワーク再エントリ（連結再確立）（network re-entry）処理を開始するとき、ハンドオーバ処理でプライマリセルに指定されたセルである。プライマリセルは、基準（参照）セル（reference cell）ともいう。セカンダリセルは、セカンダリ周波数で動作し、ＲＲＣ（Radio Resource Control）接続（連結）（connection）が確立された後に設定されることができ、追加的な無線資源を提供するのに使用されることができる。常に少なくとも１つのプライマリセルが設定され、セカンダリセルは、上位層シグナリング（例えば、ＲＲＣ（Radio Resource Control）メッセージ）により追加／修正／解除され得る。
【００１７】
プライマリセルのＣＩ（Cell Index）は固定され（一定であり）（fixed）得る。例えば、最も低いＣＩがプライマリセルのＣＩに指定され得る。以下では、プライマリセルのＣＩは、０（ゼロ）であり、セカンダリセルのＣＩは、１から順次割り当てられるとする。
【００１８】
図１は、３ＧＰＰ  ＬＴＥにおける下りリンク無線フレームの構造を示す。これは、３ＧＰＰ  ＴＳ  ３６．２１１  Ｖ１１．２．０（２０１３−０２）「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ（Ｒｅｌｅａｓｅ  １０）」の６節を参照できる。
【００１９】
無線フレーム（radio frame）は、０〜９のインデックスがつけられた１０個のサブフレームを含む。１つのサブフレーム（subframe）は、２個の連続するスロットを含む。１つのサブフレームが送信されるのにかかる時間をＴＴＩ（送信タイムインターバル）（Transmission Time Interval）といい、例えば、１つのサブフレームの長さは１ｍｓであり、１つのスロットの長さは０．５ｍｓでありうる。
【００２０】
１つのスロットは、時間領域で複数のＯＦＤＭ（Orthogonal Frequency Division Multiplexing）シンボルを含むことができる。ＯＦＤＭシンボルは、３ＧＰＰ  ＬＴＥが下りリンク（DownLink、ＤＬ）でＯＦＤＭＡ（Orthogonal Frequency Division Multiple Access）を使用するので、時間領域における１つのシンボル区間（symbol period）を表現するものに過ぎず、多重接続方式や名称に制限を置くものではない。例えば、ＯＦＤＭシンボルは、ＳＣ−ＦＤＭＡ（Single Carrier-Frequency Division Multiple Access）シンボル、シンボル区間等、他の名称で呼ばれることができる。
【００２１】
１つのスロットは、７つのＯＦＤＭシンボルを含むことを例示的に記述するが 、ＣＰ（Cyclic Prefix）の長さによって１つのスロットに含まれるＯＦＤＭシンボルの数は変わることができる。３ＧＰＰ  ＴＳ  ３６．２１１  Ｖ１０．２．０によれば、ノーマル（正規）（normal）ＣＰの場合、１スロットは７ＯＦＤＭシンボルを含み、拡張（extended）ＣＰの場合、１スロットは６ＯＦＤＭシンボルを含む。
【００２２】
資源ブロック（Resource Block；ＲＢ）は、資源の割当単位であって、１つのスロットに複数の副搬送波を含む。例えば、１つのスロットが時間領域で７個のＯＦＤＭシンボルを含み、資源ブロックは、周波数領域で１２個の副搬送波を含むとすれば、１つの資源ブロックは、７×１２個の資源要素（Resource Element；ＲＥ）を含むことができる。
【００２３】
ＤＬ（DownLink）サブフレームは、時間領域において制御領域（control region）とデータ領域（data region）とに分けられる。制御領域は、サブフレームにおける１番目のスロットの最初の（first）最大４個のＯＦＤＭシンボル（up to first four OFDM symbols of a first slot）を含むが、制御領域に含まれるＯＦＤＭシンボルの個数は変わることができる。制御領域には、ＰＤＣＣＨ（Physical Downlink Control CHannel）及び他の制御チャネルが割り当てられ、データ領域には、ＰＤＳＣＨが割り当てられる。
【００２４】
３ＧＰＰ  ＴＳ  ３６．２１１  Ｖ１０．２．０に開示されるように、３ＧＰＰ  ＬＴＥにおける物理制御チャネルは、ＰＤＣＣＨ（Physical Downlink Control CHannel）、ＰＣＦＩＣＨ（Physical Control Format Indicator CHannel）、ＰＨＩＣＨ（Physical Hybrid-ARQ Indicator CHannel）がある。
【００２５】
サブフレームの１番目のＯＦＤＭシンボルで送信されるＰＣＦＩＣＨは、サブフレーム内で制御チャネルの送信に使用されるＯＦＤＭシンボルの数（すなわち、制御領域の大きさ）に関するＣＦＩ（Control Format Indicator）を運ぶ。無線機器は、まず、ＰＣＦＩＣＨ上でＣＦＩを受信した後、ＰＤＣＣＨをモニタリングする。
【００２６】
ＰＤＣＣＨとは異なり、ＰＣＦＩＣＨは、ブラインドデコードを使用せず、サブフレームの固定されたＰＣＦＩＣＨ資源を介して送信される。
【００２７】
ＰＨＩＣＨは、上りリンクＨＡＲＱ（Hybrid Automatic Repeat reQuest）のためのＡＣＫ（positive-ACKnowledgement）／ＮＡＣＫ（Negative-ACKnowledgement）信号を運ぶ。無線機器により送信されるＰＵＳＣＨ上のＵＬ（UpLink）データに対するＡＣＫ／ＮＡＣＫ信号は、ＰＨＩＣＨ上で送信される。
【００２８】
ＰＢＣＨ（Physical Broadcast CHannel）は、無線フレームの１番目のサブフレームの２番目のスロットの最初の４個のＯＦＤＭシンボルで送信される。ＰＢＣＨは、無線機器が基地局と通信するのに必須なシステム情報を運び、ＰＢＣＨを介して送信されるシステム情報をＭＩＢ（Master Information Block）という。これに対して（In comparison thereto）、ＰＤＣＣＨにより指示されるＰＤＳＣＨ上で送信されるシステム情報をＳＩＢ（System Information Block）という。
【００２９】
ＰＤＣＣＨを介して送信される制御情報を下りリンク制御情報（Downlink Control Information；ＤＣＩ）という。ＤＣＩは、ＰＤＳＣＨの資源割当（これをＤＬグラント（DownLink grant）ともいう）、ＰＵＳＣＨの資源割当（これをＵＬグラント（UpLink grant）ともいう）、任意のＵＥグループ内の個別ＵＥに対する送信パワー制御命令セット（集合）（set）及び／又はＶｏＩＰ（Voice over Internet Protocol）の活性化を含むことができる。
【００３０】
３３ＧＰＰ  ＬＴＥにおいて、ＤＬ送信ブロックの送信は、ＰＤＣＣＨとＰＤＳＣＨとのペアで行われる。ＵＬ送信ブロックの送信は、ＰＤＣＣＨとＰＵＳＣＨとのペアで行われる。例えば、無線機器は、ＰＤＣＣＨにより指示されるＰＤＳＣＨ上でＤＬ送信ブロックを受信する。無線機器は、ＤＬサブフレームでＰＤＣＣＨをモニタリングし、ＤＬ資源割当をＰＤＣＣＨ上で受信する。無線機器は、上記ＤＬ資源割当が指示するＰＤＳＣＨ上でＤＬ送信ブロックを受信する。
【００３１】
３ＧＰＰ  ＬＴＥでは、ＰＤＣＣＨの検出のためにブラインドデコードを使用する。ブラインドデコードは、受信されるＰＤＣＣＨ（これをＰＤＣＣＨ候補（candidate）という）のＣＲＣ（Cyclic Redundancy Check）から所望の識別子のマスクを外し（をデマスクし）（a desired identifier is de-masked from a cyclic redundancy check (CRC) of a received PDCCH (referred to as a candidate PDCCH)）、ＣＲＣエラーをチェックして、当該ＰＤＣＣＨが自体の制御チャネルであるか否かを確認する方式である。
【００３２】
１つのサブフレーム内で複数のＰＤＣＣＨが送信され得る。無線機器は、サブフレームごとに複数のＰＤＣＣＨをモニタリングする。ここで、モニタリングとは、無線機器がモニタリングされるＰＤＣＣＨフォーマットによってＰＤＣＣＨのデコードを試みることをいう。
【００３３】
３ＧＰＰ  ＬＴＥでは、ブラインドデコードによる負担を減らすために、検索空間（search space）を使用する。検索空間は、ＰＤＣＣＨのためのＣＣＥのモニタリングセット（monitoring set）といえる。無線機器は、該当する検索空間内でＰＤＣＣＨをモニタリングする。
【００３４】
検索空間は、共通検索空間（common search space）と端末固有（特定）検索空間（UE-specific search space）とに分けられる。共通検索空間は、共通制御情報を有するＰＤＣＣＨを検索する空間であって、ＣＣＥインデックス０〜１５までの１６個のＣＣＥで構成され、｛４、８｝のＣＣＥアグリゲーションレベル（aggregation level）を有するＰＤＣＣＨをサポートする。しかし、共通検索空間でも端末固有情報を運ぶＰＤＣＣＨ（ＤＣＩフォーマット０、１Ａ）が送信されることもできる。端末固有検索空間は、｛１、２、４、８｝のＣＣＥアグリゲーションレベルを有するＰＤＣＣＨをサポートする。
【００３５】
無線機器がＣ−ＲＮＴＩに基づいてＰＤＣＣＨをモニタリングするとき、ＰＤＳＣＨの送信モードによってモニタリングするＤＣＩフォーマット及び検索空間が決定される。次の表は、ＤＣＩフォーマットの例を表す。
【００３６】
【表１】
0006505702.tif 000002
【００３７】
ＰＤＣＣＨは、サブフレーム内の制御領域という限定された領域でモニタリングされ、また、ＰＤＣＣＨの復調のためには、全帯域で送信されるＣＲＳ（Cell specific Reference Signal）が使用される。制御情報の種類が多様化し、制御情報の量が増加するにつれて、既存のＰＤＣＣＨだけではスケジューリングのフレキシビリティ（柔軟性）（flexibility）が劣る。また、ＣＲＳ送信による負担を減らすために、ＥＰＤＣＣＨ（Enhanced PDCCH）が導入されている。
【００３８】
図２は、ＥＰＤＣＣＨを有するサブフレームの一例である。
【００３９】
サブフレームは、０もしくは１のＰＤＣＣＨ領域４１０並びに０もしくはそれ以上（zero or more）のＥＰＤＣＣＨ領域４２０、４３０を備えることができる。
【００４０】
ＥＰＤＣＣＨ領域４２０、４３０は、無線機器がＥＰＤＣＣＨをモニタリングする領域である。ＰＤＣＣＨ領域４１０は、サブフレームの最初の最大４個のＯＦＤＭシンボル内に位置するが、ＥＰＤＣＣＨ領域４２０、４３０は、ＰＤＣＣＨ領域４１０以後のＯＦＤＭシンボルにおいてフレキシブルに（柔軟に）（flexibly）スケジューリングされることができる。
【００４１】
無線機器に１つ又は複数のＥＰＤＣＣＨ領域４２０、４３０が指定され、無線機器は、指定されたＥＰＤＣＣＨ領域４２０、４３０においてＥＰＤＣＣＨをモニタリングすることができる。
【００４２】
ＥＰＤＣＣＨ領域４２０、４３０の個数／位置／大きさ、及び／又はＥＰＤＣＣＨをモニタリングするサブフレームに関する情報は、基地局が無線機器にＲＲＣメッセージ等を介して知らせることができる。
【００４３】
ＰＤＣＣＨ領域４１０では、ＣＲＳに基づいてＰＤＣＣＨを復調できる。ＥＰＤＣＣＨ領域４２０、４３０では、ＥＰＤＣＣＨの復調のために、ＣＲＳでないＤＭ（DeModulation）  ＲＳを定義することができる。関連付けられたＤＭ  ＲＳ（associated DM-RS）は、該当するＥＰＤＣＣＨ領域４２０、４３０で送信されることができる。
【００４４】
複数のサービングセルが設定されるＣＡ（Carrier Aggregation）環境では、クロスキャリアスケジューリング（cross carrier scheduling）と非クロスキャリアスケジューリング（non-cross carrier scheduling）との２つのスケジューリング方式がある。非クロスキャリアスケジューリングは、ＰＤＣＣＨ−ＰＤＳＣＨスケジューリングが１つのサービングセルで行われるものであり、クロスキャリアスケジューリングは、ＰＤＣＣＨ−ＰＤＳＣＨスケジューリングが互いに異なるサービングセルで行われるものである。クロスキャリアスケジューリングでは、ＰＤＣＣＨ／ＥＰＤＣＣＨが受信されるサービングセルとＰＤＳＣＨがスケジューリングされるサービングセルとが異なり得る。基地局は、クロスキャリアスケジューリングが設定されるか否かを無線機器に知らせることができる。クロスキャリアスケジューリングが設定されれば、ＰＤＣＣＨ／ＥＰＤＣＣＨ上のＤＣＩは、ＰＤＳＣＨがスケジューリングされるサービングセルを指示するＣＩＦ（carrier indicator field）を含むことができる。ＰＤＣＣＨ／ＥＰＤＣＣＨがスケジューリングされるセルをスケジューリング（する）セル（scheduling cell）といい、ＰＤＳＣＨがスケジューリングされるセルは、スケジューリングされたセル（scheduled cell）という。
【００４５】
下記は、本発明の参考文献である３ＧＰＰ  ＴＳ  ３６．２１１  Ｖ１１．２．０（２０１３−０２）において、ＣＳＩ（Channel State Information）  ＲＳ（Reference Signal）の内容を抜粋したものである。
【００４６】
−−−−−−−−−−開始−−−−−−−−−−
複数の（多重）ＣＳＩ参照信号構成（Multiple CSI reference signal configurations）は、与えられたセル内で使用され得る。ＵＥは、ＣＳＩ参照信号の複数のセット（multiple sets）から構成されることができ、
【００４７】
・ＵＥがＣＳＩ−ＲＳに関する送信パワーが０でないと仮定する（ようになる）構成を３個まで、及び
【００４８】
・ＵＥが送信パワーが０であると仮定する構成を０又はそれ以上、有することができる。（- up to three configurations for which the UE shall assume non-zero transmission power for the CSI-RS, and - zero or more configurations for which the UE shall assume zero transmission power.）
【００４９】
ＵＥが送信パワーが０でないと仮定するＣＳＩ−ＲＳ構成は、上位層により提供される。
【００５０】
ＵＥがサブフレーム内で送信パワーが０であると仮定するＣＳＩ−ＲＳ構成は、［４］の第７．２．７節によって導かれたビットマップにより与えられる。上記１６ビットのビットマップで１に設定された各ビットに対して、上記ＵＥは、各々ノーマル及び拡張サイクリック（循環）プレフィックス（cyclic prefix）に対する表６．１０．５．２−１及び６．１０．５．２−２の４個のＣＳＩ参照信号コラム（欄）（column）に対応する（corresponding）資源要素に対して、上位層により構成されるように（as configured by higher layers）ＵＥが送信パワーが０でないＣＳＩ−ＲＳを仮定する資源要素と重なる資源要素を除いては、送信パワーが０であると仮定するであろう。最上位ビットは、最も低いＣＳＩ参照信号構成インデックスに対応し、ビットマップ内における後続ビット（subsequent bits in the bitmap）は、増加する順序でインデックスを有する構成に対応する。
【００５１】
ＣＳＩ参照信号は、次の場合にのみ発生できる。
【００５２】
・ｎs  ｍｏｄ  ２が各々ノーマル及び拡張サイクリックプレフィックス（cyclic prefix）に対して表６．１０．５．２−１及び６．１０．５．２−２の条件を満たす下りリンクスロットの場合、及び
【００５３】
・サブフレーム番号が第６．１０．５．３節の条件を満たす場合。
【００５４】
ＵＥは、次の場合にＣＳＩ参照信号が送信されないと仮定するであろう。
【００５５】
・フレーム構造タイプ２である場合の特別サブフレーム（等）内である場合、
【００５６】
・ＣＳＩ−ＲＳの送信が同期信号、ＰＢＣＨ又はＳｙｓｔｅｍＩｎｆｏｒｍａｔｉｏｎＢｌｏｃｋＴｙｐｅ１メッセージの送信と衝突するサブフレーム内である場合、
【００５７】
・セル固有（cell-specific）ページング構成を有する任意の（any）ＵＥに対して、プライマリセル内のページングメッセージの送信のために構成されたサブフレーム内のプライマリセル内である場合。
−−−−−−−−−−終了−−−−−−−−−−
【００５８】
下記は、本発明の参考文献である３ＧＰＰ  ＴＳ  ３６．２１３  Ｖ１１．１．０（２０１２−１２）で７．１．９節、７．１．１０節、７．２節の内容のうち、一部を抜粋したものである。
【００５９】
−−−−−−−−−−開始−−−−−−−−−−
７．１．９  ＰＤＳＣＨ資源マッピングパラメータ
与えられたサービングセルに対して送信モード１０で構成されたＵＥは、上記ＵＥ及び上記与えられたサービングセルに対して意図されたＤＣＩフォーマット２Ｄを有する検出（探知）された（detected）ＰＤＣＣＨ／ＥＰＤＣＣＨに従ってＰＤＳＣＨを復号化するためのシグナリングを行う上位層により、４個までのパラメータセットで構成されることができる。上記ＵＥは、ＰＤＳＣＨ  ＲＥマッピング（［３］の第６．３．５節で定義される）及びＰＤＳＣＨアンテナポート擬似（準）コロケーション（quasi co-location）（第７．１．１０節で定義される）を決定するための、ＤＣＩフォーマット２Ｄを有する検出されたＰＤＣＣＨ／ＥＰＤＣＣＨ内の「ＰＤＳＣＨ  ＲＥマッピング及び擬似コロケーション指示子（PDSCH RE Mapping and Quasi-Co-Location indicator）」フィールド（表７．１．９−１で定義されたマッピング）の値に応じて、上記パラメータセットを使用するであろう。対応するＰＤＣＣＨがないＰＤＳＣＨに対して、上記ＵＥは、ＰＤＳＣＨ  ＲＥマッピング（［３］の第６．３．５節で定義される）及びＰＤＳＣＨアンテナポート擬似コロケーション（quasi co-location）（第７．１．１０節で定義される）を決定するための、ＳＰＳ活性化に対応するＤＣＩフォーマット２Ｄを有するＰＤＣＣＨ／ＥＰＤＣＣＨ内で指示されたパラメータセットを使用するであろう。
【００６０】
ＰＤＳＣＨ  ＲＥマッピング及びＰＤＳＣＨアンテナポート擬似コロケーションを決定するための次のパラメータは、各パラメータセットに対するシグナリングを行う上位層により設定される。
【００６１】
・「ＰＤＳＣＨ  ＲＥ（マッピングのための）（for PDSCH RE mapping）ＣＲＳアンテナポートの個数」。
【００６２】
・「ＰＤＳＣＨ  ＲＥマッピングのためのＣＲＳ周波数シフト（偏移）（shift）」。
【００６３】
・「ＰＤＳＣＨ  ＲＥマッピングのためのＭＢＳＦＮサブフレーム構成」。
【００６４】
・「ＰＤＳＣＨ  ＲＥマッピングのためのゼロパワーＣＳＩ−ＲＳ資源構成（Zero-power CSI-RS resource configuration）」。
【００６５】
・「ＰＤＳＣＨ  ＲＥマッピングのためのＰＤＳＣＨ開始位置」。
【００６６】
・「ＰＤＳＣＨ  ＲＥマッピングのためのＣＳＩ−ＲＳ資源構成識別情報（identity）」。
【００６７】
サービングセルに対して送信モード１０で構成されたＵＥは、上記ＵＥ及び上記与えられたサービングセルに対して意図されたＤＣＩフォーマット１Ａを有する検出されたＰＤＣＣＨ／ＥＰＤＣＣＨに従ってＰＤＳＣＨを復号化するために、ＰＤＳＣＨ  ＲＥマッピング（［３］の第６．３．５節で定義される）及びＰＤＳＣＨアンテナポート擬似コロケーション（quasi co-location）（第７．１．１０節で定義される）を決定するため、シグナリングを行う上位層により表７．１．９−１内の４個のパラメータセットから選択されたパラメータセットで構成されることができる。上記ＵＥは、選択されたパラメータセットを使用するであろうし、これを介して検出されたＤＣＩフォーマット１Ａを有するＰＤＣＣＨ／ＥＰＤＣＣＨに対応するＰＤＳＣＨ、及び上記ＤＣＩフォーマット１Ａを有するＰＤＣＣＨ／ＥＰＤＣＣＨ内で指示されたＳＰＳ活性化と関連付けられた対応するＰＤＣＣＨを有さないＰＤＳＣＨを復号化するためのＰＤＳＣＨ  ＲＥマッピング（［３］の第６．３．５節で定義される）及びＰＤＳＣＨアンテナポート擬似コロケーション（quasi co-location）（第７．１．１０節で定義される）を決定する。
【００６８】
７．１．１０  ＰＤＳＣＨのためのアンテナポート擬似コロケーション（quasi co-location）
送信モード１−１０で構成されたＵＥは、サービングセルのアンテナポート０−３が、ドップラシフト、ドップラ拡散、平均遅延、平均利得及び遅延拡散（delay spread, Doppler spread, Doppler shift, average gain, and average delay）に関して、（［３］で定義されたとおり）擬似コロケーション（quasi co-location）される（quasi co-located）と仮定することができる。
【００６９】
送信モード８−１０で構成されたＵＥは、サービングセルのアンテナポート７−１４が、与えられたサブフレームに対して、ドップラシフト、ドップラ拡散、平均遅延、平均利得及び遅延拡散に関して、（［３］で定義されたとおり）擬似コロケーション（quasi co-location）されると仮定することができる。
【００７０】
送信モード１−９で構成されたＵＥは、サービングセルのアンテナポート０−３、５、７−２２が、ドップラシフト、ドップラ拡散、平均遅延、（平均利得）及び遅延拡散に関して、（［３］で定義されたとおり）擬似コロケーション（quasi co-location）されると仮定することができる。
【００７１】
送信モード１０で構成されたＵＥは、アンテナポート７−１４と関連付けられた送信方式（scheme）に従ってＰＤＳＣＨを復号化するためのシグナリングを行う上位層により、次の２つの擬似コロケーション（quasi co-location）タイプのうちの１つで構成される。
【００７２】
・タイプＡ：ＵＥは、サービングセルのアンテナポート０−３、７−２２が、ドップラシフト、ドップラ拡散、平均遅延、及び遅延拡散に関して、（［３］で定義されたとおり）擬似コロケーション（quasi co-location）されると仮定することができる。
【００７３】
・タイプＢ：ＵＥは、第７．１．９節「ＰＤＳＣＨ  ＲＥマッピングのためのＣＳＩ−ＲＳ資源構成識別情報」により識別されたＣＳＩ−ＲＳ資源構成に対応するアンテナポート１５−２２及びＰＤＳＣＨと関連付けられたアンテナポート７−１４が、ドップラシフト、ドップラ拡散、平均遅延、及び遅延拡散に関して（［３］で定義されたとおり）、擬似コロケーション（quasi co-location）されると仮定することができる。
【００７４】
７．２  チャネル状態情報（Channel State Information：ＣＳＩ）を報告するためのＵＥ処理
チャネル品質インジケータ（Channel Quality Indicator；ＣＱＩ）、プリコーディング行列インジケータ（Precoding Matrix Indicator；ＰＭＩ）、プリコーディングタイプインジケータ（Precoding Type Indicator；ＰＴＩ）、及び／又はランクインジケータ（Rank Indication；ＲＩ）で構成されるＣＳＩを報告するために、ＵＥにより使用され得る時間及び周波数資源は、ｅＮＢにより制御される。［３］で与えられたような空間マルチプレックスのために、ＵＥは、有用な送信レイヤ（層）（layers）の個数に対応するＲＩを決定すべきであろう。［３］で与えられたようなダイバーシチ（多様性）（diversity）を送信するために、ＲＩは、１に等しい（equal to one）。
【００７５】
送信モード８又は９におけるＵＥは、ＰＭＩ／ＲＩ報告を有して、又はこのような報告を有さずに、より上位のレイヤ（層の）パラメータ（higher layer parameter）ｐｍｉ−ＲＩ−Ｒｅｐｏｒｔにより構成される。
【００７６】
送信モード１０におけるＵＥは、各サービングセルに対して１つ又は複数のＣＳＩプロセスとして上位層により構成され得る。各ＣＳＩプロセスは、ＣＳＩ−ＲＳ資源（第７．２．５節で定義される）及びＣＳＩ干渉測定（CSI-Interference Measurement：ＣＳＩ−ＩＭ）資源（第７．２．６節で定義される）と関連付けられている。ＵＥにより報告されるＣＳＩは、上位層により構成されたＣＳＩプロセスに対応する。各ＣＳＩプロセスは、ＰＭＩ／ＲＩ報告を有して、又はこのような報告を有さずに上位層パラメータシグナリングにより構成されることができる。
【００７７】
サブフレームセットＣCSI,0及びＣCSI,1が上位層により構成される場合、ＵＥは、資源が制限されるＣＳＩ測定として構成される。
【００７８】
ＣＳＩ報告は、周期的であるか、又は非周期的である。
【００７９】
ＵＥが２つ以上のサービングセルによって構成される場合、このＵＥは、活性化されたサービングセル（等）に対するＣＳＩのみを報告する。
【００８０】
ＵＥがＰＵＳＣＨ及びＰＵＣＣＨの同時送信（simultaneous PUSCH and PUCCH transmission）のために構成されていない場合、このＵＥは、ＰＵＳＣＨが割り当てられていないサブフレーム内で、以後で定義されるようにＰＵＣＣＨに対する周期的ＣＳＩ報告を送信するであろう。
【００８１】
ＵＥがＰＵＳＣＨ及びＰＵＣＣＨの同時送信のために構成されていない場合、このＵＥは、ＰＵＳＣＨが割り当てられたサブフレーム内で、以後で定義されるように最も小さいＳｅｒｖＣｅｌｌＩｎｄｅｘを有するサービングセルのＰＵＳＣＨに対する周期的ＣＳＩ報告を送信するであろうし、このとき、上記ＵＥは、ＰＵＳＣＨに対する同じＰＵＣＣＨベースの周期的ＣＳＩ報告フォーマットを使用するであろう。
【００８２】
以後で特定される条件が満たされる場合、ＵＥは、ＰＵＳＣＨに対する非周期的ＣＳＩ報告を送信するであろう。非周期的ＣＱＩ／ＰＭＩ報告に対して、ＲＩ報告は、構成されたＣＳＩフィードバックタイプがＲＩ報告をサポートする場合にのみ送信される。
【００８３】
サービングセルｃに対し、ＣＳＩプロセスに対するＰＭＩ／ＲＩ報告を有する送信モード１０で構成されたＵＥは、「ＲＩ参照ＣＳＩプロセス（RI-reference CSI process）」として構成されることができる。ＵＥが「ＣＳＩプロセスに対するＲＩ参照ＣＳＩプロセス（RI-reference CSI process）」として構成される場合、ＣＳＩプロセスに対して報告されたＲＩは、構成された「ＲＩ参照ＣＳＩプロセス（RI-reference CSI process）」に対して報告されたＲＩと同様でなければならないであろう。ＵＥは、ＣＳＩプロセスと関連付けられたＣＳＩを含み、構成された「ＲＩ参照ＣＳＩプロセス（RI-reference CSI process）」と関連付けられたＣＳＩを含まないＣＳＩ報告をトリガ（触発）する（triggering）与えられたサブフレームに対する非周期的ＣＳＩ報告リクエスト（要請）（request）を受信することが期待されない。
【００８４】
送信モード１０におけるＵＥに対し、同じ優先順位（優先権）（priority）のＰＵＣＣＨ報告タイプを有する同じサービングセルのＣＳＩ報告間、及び互いに異なるＣＳＩプロセスに対応するＣＳＩ報告間で衝突がある場合、最も低いＣＳＩＰｒｏｃｅｓｓＩｎｄｅｘを有するＣＳＩプロセスを除いた、全てのＣＳＩプロセスに対応するＣＳＩ報告はドロップ（脱落）される（dropped）。
【００８５】
ＵＥが２つ以上のサービングセルとして構成される場合、上記ＵＥは、与えられた任意のサブフレーム内の１つのサービングセルのＣＳＩ報告のみを送信する。与えられたサブフレームに対して、１つのサービングセルのＰＵＣＣＨ報告タイプ３、５、６、又は２ａを有するＣＳＩが、さらに他のサービングセルのＰＵＣＣＨ報告タイプ１、１ａ、２、２ｂ、２ｃ、又は４を有するＣＳＩ報告と衝突する場合、ＰＵＣＣＨ報告タイプ（１、１ａ、２、２ｂ、２ｃ、又は４）を有する後者のＣＳＩ報告がより低い優先順位を有するようになってドロップされる。与えられたサブフレームに対して、１つのサービングセルのＰＵＣＣＨ報告タイプ２、２ｂ、２ｃ、又は４を有するＣＳＩがさらに他のサービングセルのＰＵＣＣＨ報告タイプ１又は１ａを有するＣＳＩ報告と衝突する場合、ＰＵＣＣＨ報告タイプ１、又は１ａを有する後者のＣＳＩ報告がより低い優先順位を有するようになってドロップされる。
【００８６】
与えられたサブフレーム及び送信モード１−９であるＵＥに対し、同じ優先順位のＰＵＣＣＨ報告タイプを有する互いに異なるサービングセルのＣＳＩ報告間で衝突がある場合、最も低いＳｅｒｖＣｅｌｌＩｎｄｅｘを有するサービングセルのＣＳＩが報告され、他の全てのサービングセルのＣＳＩはドロップされる。
【００８７】
与えられたサブフレーム及び送信モード１０であるＵＥに対し、同じ優先順位のＰＵＣＣＨ報告タイプを有する互いに異なるサービングセルのＣＳＩ報告及び同じＣＳＩＰｒｏｃｅｓｓＩｎｄｅｘを有するＣＳＩプロセスに対応するＣＳＩ報告間で衝突がある場合、最も低いＳｅｒｖＣｅｌｌＩｎｄｅｘを有するサービングセルを除いた、全てのサービングセルのＣＳＩ報告がドロップされる。
【００８８】
与えられたサブフレーム及び送信モード１０であるＵＥに対し、同じ優先順位のＰＵＣＣＨ報告タイプを有する互いに異なるサービングセルのＣＳＩ報告及び他のＣＳＩＰｒｏｃｅｓｓＩｎｄｅｘを有するＣＳＩプロセスに対応するＣＳＩ報告間で衝突がある場合、最も低いＳｅｒｖＣｅｌｌＩｎｄｅｘを有するＣＳＩプロセスに対応するＣＳＩ報告を有するサービングセルを除いた、全てのサービングセルのＣＳＩ報告がドロップされる。
−−−−−−−−−−終了−−−−−−−−−−
【００８９】
次に、提案される拡張された変調方式をサポートする方法について記述する。
【００９０】
３ＧＰＰ  ＬＴＥは、最大６の変調次数（modulation order）をサポートし、変調方式において、ＱＰＳＫ（Quadrature Phase Shift Keying）、１６−直交振幅変調（Quadrature Amplitude Modulation；ＱＡＭ）、６４−ＱＡＭをサポートする。
【００９１】
しかし、周波数効率を向上させるために７以上の変調次数（例えば、１２８−ＱＡＭ、２５６−ＱＡＭ、１０２４−ＱＡＭ等）をサポートすることを考慮している。以下において、３ＧＰＰ  ＬＴＥでサポートする変調方式よりさらに高い変調次数を有する変調方式を拡張変調方式という。
【００９２】
図３は、本発明の一実施形態に係る通信方法を示す。
【００９３】
ステップＳ３１０において、基地局は、無線機器に拡張変調方式の使用が可能か否かを知らせるサポートメッセージを送る。上記サポートメッセージは、システム情報又はＲＲＣメッセージとして送信されることができる。上記サポートメッセージは、拡張変調方式がサポートされるか否かに関する情報、拡張変調方式でサポートされる周期／資源に関する情報を含むことができる。
【００９４】
ステップＳ３２０において、無線機器は、自体が拡張変調方式をサポートできることを知らせる性能（力量）（capability）メッセージを基地局に送る。
【００９５】
拡張変調方式は、周波数バンドごと又は周波数バンドグループごとにサポートされることができる。或いは、拡張変調方式は、周波数資源ごと又はＲＢごとにサポートされることができる。複数の周波数バンドが設定される場合、複数の周波数バンドの各々又はその組み合わせに対して拡張変調方式がサポートされ得る。サポートメッセージ又は性能メッセージは、拡張変調方式がサポートされる周波数バンド（又は、周波数バンドの組み合わせ）に関する情報を含むことができる。
【００９６】
拡張変調方式は、サービングセルごとにサポートされることができる。例えば、プライマリセルは、拡張変調方式をサポートしないが、セカンダリセルのうちの１つは、拡張変調方式をサポートできる。プライマリセルがセカンダリセルを設定するとき、当該セカンダリセルが拡張変調方式をサポートするか否かを無線機器に知らせることができる。
【００９７】
クロスキャリアスケジューリングが設定される場合、スケジューリングされたセルが拡張変調方式をサポートすれば、スケジューリングされたセルが拡張変調方式をサポートしなくても、対応するＤＣＩは、拡張変調方式に関する情報が含まれ得る。
【００９８】
プライマリセルが拡張変調方式をサポートする場合、セカンダリセルは、別の設定が無くても拡張変調方式をサポートすると定義され得る。
【００９９】
拡張変調方式が設定されるとき、ＣＱＩ（Channel Quality Indicator）報告のために、どのＭＣＳ（Modulation and Coding Scheme）テーブルに関連するＣＱＩテーブルを使用するかが問題になる（it becomes problematic to use the channel quality indicator (CQI) table to which modulation and coding scheme (MCS) table is related for the CQI report）。拡張変調方式を考慮していないレガシＭＣＳテーブルに関連するレガシＣＱＩテーブルを使用するか、又は拡張変調方式を考慮した拡張ＭＣＳテーブルに関連する拡張ＣＱＩテーブルを使用するかである。拡張ＭＣＳテーブルは、既存の変調方式の他に、拡張変調方式（例えば、２５６−ＱＡＭ）を指示するインデックスを有するＭＣＳテーブルを含むことができる。また、拡張ＣＱＩテーブルは、既存の変調方式の他に、拡張変調方式（例えば、２５６−ＱＡＭ）を指示するインデックスを有するＣＱＩテーブルを含むことができる。拡張変調方式が設定される場合、無線機器は、拡張ＭＣＳテーブルに関連する拡張ＣＱＩテーブルをＣＱＩ報告に使用すると設定されることができる。他の実施形態として、基地局は、拡張変調方式のサポートが可能か否かとは別に、拡張ＭＣＳテーブルの使用が可能か否かを無線機器に知らせることができる。言い換えれば、基地局自体は拡張変調方式をサポートしなくても、拡張ＭＣＳ／ＣＱＩテーブルの使用が可能か否かを無線機器に設定することができる。これは、ＣｏＭＰのように基地局間で協力をしなければならない状況で１つの基地局が拡張変調方式をサポートしない場合、他の基地局が拡張変調方式を使用するために使用され得る。無線機器は、４ビット又は５ビットのＣＱＩ（Channel Quality Indicator）を報告できる。ＣＱＩのビット数は、当該セルのデュプレックス（duplex）モードによって決定されることができる。例えば、ＦＤＤ（Frequency Division Duplex）をサポートするＦＤＤセルは、５ビットのＣＱＩを使用できる。ＴＤＤ（Time Division Duplex）をサポートするＴＤＤセルは、４ビットのＣＱＩを使用できる。ＴＤＤセルである場合、拡張ＭＣＳテーブルを使用せず、ＦＤＤセルである場合、拡張ＭＣＳテーブルを使用できる。
【０１００】
同時通信（二重接続）（dual connectivity）環境は、無線機器に複数の接続（例えば、第１の接続は、マクロセル（macro cell）、第２の接続は、マイクロセル）が設定された場合である。これは、各接続（アクセス）（access）がセルごとに独立して行われる点において、プライマリセルによりセカンダリセルの設定が行われるＣＡと差異がある。例えば、マクロセル（又は、マクロ基地局）がＣＡをサポートしてプライマリセルと０又はそれ以上のセカンダリセルとをサポートできる。また、マイクロセル（又は、マイクロ基地局）がＣＡをサポートしてプライマリセルと０又はそれ以上のセカンダリセルとをサポートできる。各接続ごとに拡張変調方式のサポートが可能か否かを無線機器に知らせることができる。同時通信とＣＡとが同時に設定される場合、前述した方法がＣＡのためのセルに適用され得る。
【０１０１】
次に、ＣｏＭＰ環境における拡張変調方式のサポートについて記述する。
【０１０２】
以下において、ＣｏＭＰは、地理的に離れたＴＰ（送信ポイント）間の協力を意味する。無線機器へのデータ送信に参加するＴＰのセットをＣｏＭＰセット（set）という。
【０１０３】
ＴＰごとに拡張変調方式のサポートが可能か否か及び／又は拡張ＭＣＳテーブルの使用が可能か否かを無線機器に知らせることができる。
【０１０４】
無線機器にＣｏＭＰ動作が設定される場合、複数のＴＰが設定され得る。各ＴＰごとに拡張変調方式がサポートされるか否かを無線機器に知らせることができる。拡張変調方式がサポートされるか否かによって、ＤＣＩ内のＭＣＳフィールドのビット数が変わり得る。例えば、拡張変調方式がサポートされれば、６ビットのＭＣＳフィールドが使用され、拡張変調方式がサポートされなければ、５ビットのＭＣＳフィールドが使用され得る。
【０１０５】
ＰＤＣＣＨの場合に、ＭＣＳフィールドのビット数は、サービングセル（例えば、スケジューリングされるセル）で拡張変調方式がサポートされるか否かによって決定され得る。例えば、サービングセルが拡張変調方式をサポートすれば、６ビットのＭＣＳフィールドが使用され、サービングセルが拡張変調方式をサポートしなければ、５ビットのＭＣＳフィールドが使用され得る。ＣＱＩ報告のためのＭＣＳテーブルも同じ規則が適用され得る。ＴＰに関係なく、サービングセルが拡張変調方式をサポートする場合、無線機器は、全てのＴＰが拡張変調方式を有するＭＣＳテーブルを使用するとみなすことができる。
【０１０６】
ＥＰＤＣＣＨの場合に、拡張変調方式をサポートするＭＣＳフィールド／ＭＣＳテーブルの使用が可能か否かは、当該ＥＰＤＣＣＨセット（set）に関連付けられるＰＱＩ（PDSCH remapping and quasi co-location indicator）により設定されることができる。例えば、ＰＱＩテーブルの１番目のエントリ（entry）が第１のＥＰＤＣＣＨセットに関連付けられ、上記１番目のエントリが拡張ＭＣＳテーブルの使用を指示すれば、無線機器は、当該ＥＰＤＣＣＨセットのＤＣＩが拡張変調方式をサポートすると期待できる。複数のＥＰＤＣＣＨセット間で曖昧性があるならば、無線機器は、１番目のＥＰＤＣＣＨセットの設定に従うことができる。１番目のＥＰＤＣＣＨセットが拡張変調方式をサポートする場合、無線機器は、残りのＥＰＤＣＣＨセットも拡張変調方式をサポートすると仮定することができる。ＥＰＤＣＣＨ上のＤＣＩフォーマットは、ＤＣＩフォーマット１ｘ／２ｙである。ＤＣＩフォーマット１Ａは、レガシ機器のためにのみ使用されるので、拡張変調方式の使用が設定される場合、ＤＣＩフォーマット１Ａ以外のＤＣＩフォーマットで拡張変調方式を有するＭＣＳフィールドが使用されると期待できる。
【０１０７】
拡張変調方式のサポートが可能か否かは、動的にＰＤＳＣＨごとに決定されることができる。３ＧＰＰ  ＬＴＥにおいて送信モード１０が使用される場合、ＤＣＩフォーマット２Ｄは、２ビットのＰＱＩを有する。これは、ＰＱＩが４個のＰＱＩエントリを有することを意味する。ＰＱＩエントリが拡張変調方式をサポートするか否かを指示するとする場合、当該ＰＱＩエントリは、ＰＤＳＣＨが拡張変調方式をサポートするか否かを指示するともいえる。例えば、関連するＰＱＩエントリが拡張変調方式をサポートする場合、スケジューリングされるＰＤＳＣＨのＭＣＳは、拡張変調方式をサポートするＭＣＳテーブルに基づくと解釈され得る。これは、ＰＱＩエントリを介して拡張変調方式のサポートが可能か否かがシグナリングされるといえる。拡張変調方式の設定がＮＺＰ（Non-Zero-Power）  ＣＳＩ（Channel State Information）−ＲＳ（参照信号）設定により与えられる場合、無線機器は、ＰＱＩエントリ内のＮＺＰ  ＣＳＩ−ＲＳ設定を利用して拡張変調方式がサポートされるか否かを決定できる。当該ＮＺＰ  ＣＳＩ−ＲＳ設定に関連するＣＳＩ設定によって拡張ＭＣＳテーブルが使用されるか否かも決定され得る。これは、ＣＳＩ設定時に、どのＭＣＳテーブル（拡張又はレガシ）を使用するかを設定できることを意味する（This means which MCS table (expansion or legacy) is to be used may be configured when configuring the CSI）。
【０１０８】
無線機器が送信モード１０に設定され、ＤＣＩフォーマット１Ａが使用されるとする場合、下記のような事項が考慮できる。以下において、１番目のＰＱＩエントリが拡張変調方式のサポートが可能か否かを指示すると仮定する。
【０１０９】
Ａ．当該サブフレームがＭＢＳＦＮ（Multicast-Broadcast Single-Frequency Network）サブフレームであるか、ｎｏｎ−ＭＢＳＦＮサブフレームであるかに関係なく、ＤＣＩフォーマット１Ａは、レガシＭＣＳテーブルを使用する。１番目のＰＱＩエントリの指示に関係なく、無線機器は、ＤＣＩフォーマット１Ａにおいて拡張変調方式のサポートを無視できる。
【０１１０】
Ｂ．ＭＳＢＦＮサブフレームは、１番目のＰＱＩエントリの指示にしたがい、ｎｏｎ−ＭＢＳＮＦＮサブフレームは、拡張変調方式のサポートを無視する。
【０１１１】
Ｃ．ＤＣＩフォーマット１Ａが共通検索空間でスケジュールされる場合、拡張変調方式のサポートを無視する（すなわち、レガシＭＣＳテーブルを利用する）。そうでない場合（それとも）（Otherwise）、１番目のＰＱＩエントリの指示にしたがう。
【０１１２】
Ｄ．ＤＣＩフォーマット１Ａが共通検索空間でスケジュールされる場合、拡張変調方式のサポートを無視する。そうでない場合、ＭＳＢＦＮサブフレームは、１番目のＰＱＩエントリの指示にしたがい、ｎｏｎ−ＭＢＳＮＦＮサブフレームは、拡張変調方式のサポートを無視する。
【０１１３】
Ｅ．３ＧＰＰ  ＴＳ  ３６．２１３によれば、送信モード１０におけるＱＣＬ（Quasi Co-Location）動作のために、タイプＡ及びタイプＢが定義されている。無線機器がＱＣＬタイプＡに設定される場合、拡張変調方式のサポートを無視する。無線機器がＱＣＬタイプＢに設定される場合、上記方式Ｂ、Ｃ、Ｄのうち、１つに従うことができる。ＲＲＣ再設定の間、ＱＣＬ動作は、ＱＣＬタイプＡであると仮定する。したがって、１番目のＰＱＩエントリが拡張変調方式のサポートを指示し、ＭＢＳＦＮサブフレームのＤＣＩフォーマット１Ａに対して１番目のＰＱＩエントリの指示に従うように設定される場合、無線機器は、上記ＲＲＣ再設定の間、ＭＢＳＦＮサブフレームでＤＣＩフォーマット１Ａの受信を期待しないことができる。
【０１１４】
ＤＣＩフォーマット２Ｄなどの他のＤＣＩフォーマットにも上記提案された方式が適用され得る。例えば、ＱＣＬタイプＡに設定される場合、無線機器は、全てのＴＰ（又は、全てのサービングセル）に対して拡張変調方式に関する同じ設定を使用できる。拡張変調方式を活性化するように、ＲＲＣ設定又は１番目のＮＺＰ−ＣＳＩ−ＲＳインデックスが使用され得る。拡張変調方式の設定は、ＱＣＬタイプＢが設定された場合にのみ与えられることができる。ＱＣＬタイプＡが設定される場合、無線機器は、拡張変調方式の設定を無視できる。拡張変調方式の設定が与えられない場合、ＲＲＣ設定はデフォルト（default）設定で使用され得る（the RRC configuration may be used as a default configuration）。ＰＱＩエントリごとに拡張ＭＣＳテーブルが設定され、ＱＣＬタイプＡが設定される場合、無線機器は、１番目のＰＱＩエントリの指示に従うことができる。ＣＳＩプロセスにおいて、無線機器は、拡張変調方式に関するＣＳＩ設定にしたがうことができる。ＱＣＬタイプＡが設定される場合、無線機器は、ＣＱＩ報告のためのＭＣＳテーブルの決定は、ＮＺＰ−ＣＳＩ−ＲＳ設定に従うことができる。すなわち、ＰＤＳＣＨのためのＭＣＳテーブルは、ＰＱＩエントリに基づいて決定され、ＣＱＩのためのＭＣＳテーブルは、ＺＰ−ＣＳＩ−ＲＳ設定に基づいて決定されることができる。
【０１１５】
ＳＰＳ（Semi-Persistent Scheduling）も拡張変調方式をサポートできる。拡張変調方式が設定される場合、ＳＰＳ送信にさらに高い変調次数（例えば、２５６−ＱＡＭ）が適用され得る。
【０１１６】
拡張変調方式のサポートが可能か否かは、特定指示子（例えば、ＰＱＩエントリ）により与えられることができ、上記特定指示子は、次のうち、少なくともいずれか１つを指示できる。（１）ＴＰが拡張変調方式をサポートするか否か、（２）ＤＣＩ内のＭＣＳフィールドが拡張変調方式をサポートするか否か、（３）ＣＱＩ報告のために、拡張ＭＣＳテーブルを使用するか否か。
【０１１７】
ＣＳＩ報告において、同じ規則がＣＱＩを計算するのに適用され得る。例えば、ＣＳＩ−ＲＳ資源に関連するＣＳＩプロセスごとに、ＣＱＩが拡張ＣＱＩテーブルに基づいて決定されるか又はレガシＣＱＩテーブルに基づいて決定されるかが設定され得る（whether the CQI is determined based on the expansion CQI table or the legacy CQI table may be configured）。ＣＱＩプロセスごとに拡張変調方式がサポートされるか否かが設定され得る。ＣＱＩ報告のために、拡張ＣＱＩテーブルが使用される場合、ＣＱＩ報告のためのビット数は、設定されたＣＳＩ−ＲＳ資源のＣＰの長さに基づいて決定され得る。ノーマル（normal）ＣＰを有するＴＰのＣＳＩプロセスが拡張変調方式をサポートすると設定される場合、５ビットのＣＱＩが報告され得る。そうでない場合、４ビットのＣＱＩが報告され得る。ＣｏＭＰ動作のためのＣＱＩ報告で互いに異なるデュプレックスモードのＴＰが設定されても、ＣＡと同様の規則が適用され得る。例えば、ＴＤＤ  ＴＰは、拡張変調方式のサポートが可能か否かに関係なく、常にレガシＣＱＩテーブルに基づいてＣＱＩを使用できる。
【０１１８】
ＣｏＭＰ動作において、理想的（ideal）バックホール（backhaul）又は非理想的バックホールのいずれの場合でも、前述された実施形態が適用され得る。
【０１１９】
ｅＩＭＴＡ（Enhanced Interference Mitigation and Traffic Adaptation）は、ＴＤＤでＵＬ−ＤＬ設定を動的に変更させて、トラフィックロード（traffic load）及び干渉緩和（interference mitigation）を効率的に向上させる技法である。ｅＩＭＴＡが設定されるとは、基地局が、無線機器に対して、下記の表のようなＵＬ−ＤＬ設定を、動的に変更したり、又は任意のＵＬ−ＤＬ設定に変更できることを意味する。
【０１２０】
【表２】
0006505702.tif 000003
【０１２１】
上記表において、「Ｄ」は、ＤＬサブフレーム、「Ｕ」は、ＵＬサブフレーム、「Ｓ」は、Ｓサブフレームを表す。Ｓサブフレームは、ＤＬサブフレームとして表すこともできる。基地局からＵＬ−ＤＬ設定を受信した場合、無線機器は、無線フレームの設定に応じてどのサブフレームがＤＬサブフレーム又はＵＬサブフレームであるかが分かる。
【０１２２】
ＵＬ−ＤＬ設定の変更は、システム情報（例えば、ＭＩＢ（Master Information Block）、ＳＩＢ（System Information Block））、ＲＲＣメッセージ、又はＤＣＩを介して行われることができる。設定を介して変わらない、すなわち、全て（全体が）（entirely）ＤＬに固定されるＤＬサブフレームを固定（された）（不変）（fixed）ＤＬサブフレームといい、設定を介して変わることができ、周辺セルに対してＤＬ／ＵＬサブフレームが共存するＤＬサブフレームをフレキシブル（柔軟な）（flexible）ＤＬサブフレームという。すなわち、フレキシブルＤＬサブフレームでは、特定セルはＤＬサブフレームであるが、他のセルはＵＬサブフレームでありうる。或いは、フレキシブルＤＬサブフレームにおいて、一瞬ＤＬサブフレームであるが、他の時間にはＵＬサブフレームでありうる。
【０１２３】
ｅＩＭＴＡが設定された無線機器への拡張変調方式のサポートが可能か否かは、次のように与えられることができる。
【０１２４】
（１）ＤＬ−ＵＬ設定に関係なく、一応拡張変調方式が設定されれば、全てのＤＬサブフレームが拡張変調方式をサポートする。
【０１２５】
（２）ＤＬ−ＵＬ設定によって、固定ＤＬサブフレーム又はＳサブフレームのみ拡張変調方式をサポートする。
【０１２６】
（３）フレキシブル（flexible）ＤＬサブフレームに対しては、拡張変調方式のサポートが可能か否かについて別に設定する。
【０１２７】
周辺機器のＵＬ送信により、フレキシブルＤＬサブフレームは、固定ＤＬサブフレームに比べてさらに高い干渉レベルを有する。したがって、拡張変調方式は、フレキシブルＤＬサブフレームでは非活性化することが好ましい。サブフレームタイプごとに拡張変調方式のサポートが可能か否かが設定され得る。サブフレームタイプごとに互いに異なるＭＣＳ及び／又はＣＱＩテーブルが設定され得る。
【０１２８】
互いに異なるＭＣＳテーブル（又は、ＣＱＩテーブル）が使用される場合、差分（differential）ＣＱＩが考慮され得る。例えば、周期的ＣＱＩ報告において、ＣＱＩは、２００ｍｓウィンドウで各測定セット（measurement set）が設定された場合、各測定セット（measurement set）に対して各々計算される。各測定セットは、経験する干渉条件が異なり、したがって、各測定セットごとに互いに異なるＭＣＳ及び／又はＣＱＩテーブルを有することが効率的でありうる。ｅＩＭＴＡ及び／又はｅＩＣＩＣ（enhanced Inter-Cell Interference Coordination）及び／又は動的干渉条件を考慮して、サブフレームセットごとに異なるＭＣＳ及び／又はＣＱＩテーブルを設定できる。
【０１２９】
拡張ＭＣＳテーブルの使用が可能か否かは、ＵＬサブフレームセットに基づいて決定され得る。例えば、より良い干渉条件を有するＵＬサブフレームセットは、５ビットのＣＱＩ（すなわち、拡張ＭＣＳテーブル適用可能）を使用する。良くない干渉条件を有するＵＬサブフレームセットは、４ビットのＣＱＩ（すなわち、レガシＭＣＳテーブル適用可能）を使用する。
【０１３０】
ＦＤＤ  ＵＬバンドがスモールセル（small cell）のＤＬ送信に使用される場合、上記ＵＬバンドにおける拡張変調方式の適用は、ＵＬ送信による高い干渉レベルのために制限されることができる。この場合、拡張変調方式の適用に対して別のシグナリングが必要でありうる。ＵＬバンドにおいてＤＬ送信のために別のＣＳＩ測定セットが設定され得るし、上記ＣＳＩ測定セットに対して拡張変調方式のサポートが可能か否かを知らせることができる。
【０１３１】
図４は、本発明の一実施形態に係るデータ受信方法を示す。この方法は、図３の実施形態が行われた後に行われることができる。
【０１３２】
ステップＳ４１０において、基地局は、無線機器に拡張サブフレーム情報を送る。拡張サブフレーム情報は、拡張変調方式がサポートされるサブフレーム又はサブフレームのセットに関する情報を含む。拡張サブフレームは、拡張変調方式がサポートされるサブフレームをいい、非拡張サブフレームは、拡張変調方式がサポートされないレガシサブフレームをいう。
【０１３３】
複数のサブフレームセットの各々に対して拡張変調方式のサポートが設定され得る。例えば、ｅＩＭＴＡの固定サブフレームセット及びフレキシブルサブフレームセットの各々に対して、拡張変調方式のサポートが可能か否かが設定され得る。或いは、測定セットごとに拡張変調方式のサポートが可能か否かが設定され得る。或いは、ＭＢＳＦＮサブフレームセット及び／又はｎｏｎ−ＭＢＳＮＦＮサブフレームセットの各々に対して、拡張変調方式のサポートが可能か否かが設定され得る。
【０１３４】
拡張変調方式のサポートが可能であるが、別のサブフレームセットが与えられない場合、無線機器は、全てのサブフレームに対して拡張変調方式がサポートされると期待できる。拡張変調方式のサポートが可能な別のサブフレームセットが与えられれば、無線機器は、当該サブフレームセットに対して拡張変調方式がサポートされると期待できる。
【０１３５】
送信モード１〜９に対して、１つのＭＣＳ及び／又はＣＱＩテーブルが各測定セットに設定され得る。１つの測定セットに対して拡張ＭＣＳ及び／又はＣＱＩテーブルが設定される場合、無線機器は、上記１つの測定セットに属しないサブフレームに対しても拡張変調方式がサポートされると仮定できる。或いは、上記１つの測定セットに属しないサブフレームに対しては、拡張変調方式がサポートされないと仮定できる。
【０１３６】
もう少し具体的には、送信モード１〜９に対して１つのＣＱＩテーブルが各測定セットに設定され得る。１つの測定セットに対して拡張ＣＱＩテーブルが設定される場合、無線機器は、上記１つの測定セットに属しないサブフレームに対しても拡張変調方式がサポートされると仮定できる。或いは、上記１つの測定セットに属しないサブフレームに対しては、拡張変調方式がサポートされないと仮定できる。もう少し具体的には、送信モード１〜９に対して１つのＣＱＩテーブルが各測定セットに設定され得る。１つ又は複数の測定セットに対して拡張ＣＱＩテーブルが設定されれば、ＤＬ送信のために拡張変調方式が全てのサブフレームに適用されると仮定できる。
【０１３７】
或いは、別様に（differently）、送信モード１〜９において、各サブフレーム測定セット（subframe measurement set）に対して１つのＭＣＳテーブルが設定され得る。このＭＣＳテーブルは、同じサブフレームセットに関するＣＱＩテーブルに対応することができる。少なくとも１つのサブフレーム測定セットが拡張変調方式を有するように設定される場合、各サブフレームセットに属するサブフレームに対しては、拡張ＭＣＳテーブル及び／又は拡張ＣＱＩテーブルが使用され得る。少なくとも１つのサブフレーム測定セットが拡張変調方式を有さないように設定されれば、各サブフレームセットに属するサブフレームに対しては、レガシＭＣＳテーブル及び／又はレガシＣＱＩテーブルの使用を考慮することができる（a use of the legacy MCS table and/or the legacy CQI table may be regarded for the subframe that is belonged to each subframe set）。
【０１３８】
ステップＳ４２０において、無線機器は、拡張サブフレームで拡張変調方式が適用されたＰＤＳＣＨを受信する。
【０１３９】
次に、ＨＡＲＱ（Hybrid Automatic Repeat reQuest）における拡張変調方式の適用について記述する。
【０１４０】
同じＨＡＲＱプロセス（process）番号を有するＨＡＲＱに対しては、拡張変調方式のサポートが維持され得る。初期送信（initial送信）で拡張変調方式がサポートされる場合、再送信でも拡張変調方式がサポートされるものである。したがって、再送信で拡張変調方式のサポートが可能か否かは、初期送信での拡張変調方式のサポートが可能か否かによって決定される。再送信で拡張ＭＣＳテーブルの使用が可能か否かは、初期送信での拡張ＭＣＳテーブルの使用が可能か否かによって決定される。
【０１４１】
ＳＰＳ送信において、最も最近に割り当てられたＳＰＳ割当での拡張変調方式のサポートが可能か否かによって拡張変調方式のサポートが維持され得る。最も最近のＳＰＳ割当が拡張変調方式をサポートすれば、以後のＳＰＳ送信も拡張変調方式をサポートできる。
【０１４２】
下記の表は、３ＧＰＰ  ＬＴＥにおいて、ＤＣＩ内のＰＤＳＣＨ割当に使用されるＭＣＳテーブルである。上記ＤＣＩは、５ビットのＭＣＳフィールドを有する。
【０１４３】
【表３】
0006505702.tif 000004
【０１４４】
拡張変調方式のために、上記ＭＣＳテーブルが再使用され、ＭＣＳフィールドが５ビットであれば、ＤＣＩの解釈に曖昧性はない。このために、ＭＣＳインデックス０〜３１のうち、少なくともいずれか１つが変調次数８を指示するようにすることができる。例えば、ＭＣＳインデックス３１又は３９が変調次数８を指示するようにすることができる。
【０１４５】
オプションとして（選択的に）（Optionally）、特定ＭＣＳインデックスは、拡張変調方式のサポートが可能か否かによって異なる変調次数を指示することができる。例えば、上記表３のＭＣＳインデックス２９〜３１は、次のように設定されることができる。ＭＣＳインデックス、変調次数は例示に過ぎない。
【０１４６】
【表４】
0006505702.tif 000005
【０１４７】
２５６−ＱＡＭがサポートされる初期送信が開始されれば、以後の再送信でもＭＣＳインデックス２９〜３１は、各々変調次数４、６、８として解釈される。２５６−ＱＡＭがサポートされない初期送信が開始されれば、以後の再送信でもＭＣＳインデックス２９〜３１は、各々変調次数２、４、６として解釈される。別に拡張変調方式のサポートが可能か否かが設定されずに、初期送信でＭＣＳインデックス０〜２８のうちの１つが使用される場合、再送信の際、どのＭＣＳテーブルを使用するかが問題になる。別に指定されない限り、再送信の際、従来の場合（既存）（conventional case）のように、ＭＣＳインデックス２９〜３１は、各々変調次数２、４、６として解釈されることができる。
【０１４８】
上記ＭＣＳテーブルに拡張変調方式を指示するＭＣＳインデックスを追加し、ＭＣＳフィールドを６ビットで設定することができる。これは、拡張変調方式のサポートが可能か否かによって、ＤＣＩ内のＭＣＳフィールドのビット数が変わることを意味する。サブフレームが拡張変調方式をサポートする場合、当該サブフレームでモニタリングされるＤＣＩは、６ビットのＭＣＳフィールドを有すると設定され得る。
【０１４９】
再送信とｅＩＭＴＡとを共に考慮しよう。拡張変調方式のサポートが設定され、６ビットのＭＣＳフィールドが使用される場合、全てのサブフレーム（又は、全ての拡張サブフレーム）で拡張変調方式を使用できる。５ビットのＭＣＳフィールドが拡張変調方式のサポートに使用される場合、ＨＡＲＱプロセス番号及び／又はＮＤＩ（New Data Indicator）によってＭＣＳフィールドが解釈され得る。ｎｏｎ−ＭＢＳＦＮサブフレームでは、ＤＣＩフォーマット１Ａは、レガシＭＣＳテーブルのみをサポートするようにして低いＳＩＮＲ（ＳＩＮＲが低い）範囲（low SINR range）を増加させ、大きいパケットサイズをサポートするようにすることができる。
【０１５０】
図５は、本発明の実施形態が実現される無線通信システムを示したブロック図である。
【０１５１】
基地局５０は、プロセッサ（processor、５１）、メモリ（memory、５２）、及びＲＦ部（RF（Radio Frequency）unit、５３）を備える。メモリ５２は、プロセッサ５１と結合（連結）されて（coupled）、プロセッサ５１を動作させるための様々な命令語を格納する。ＲＦ部５３は、プロセッサ５１と結合されて、無線信号を送信及び／又は受信する。プロセッサ５１は、提案された機能、プロセス、及び／又は方法を実現する。前述した図３及び図４の実施形態で基地局の動作は、プロセッサ５１により実現されることができる。
【０１５２】
無線機器６０は、プロセッサ６１、メモリ６２、及びＲＦ部６３を備える。メモリ６２は、プロセッサ６１と結合されて、プロセッサ６１を駆動するための様々な命令語を格納する。ＲＦ部６３は、プロセッサ６１と結合されて、無線信号を送信及び／又は受信する。プロセッサ６１は、提案された機能、処理（プロセス）、及び／又は方法を実現する。前述した図３及び図４の実施形態における無線機器の動作は、プロセッサ６０により実現されることができる。
【０１５３】
プロセッサは、ＡＳＩＣ（Application-Specific Integrated Circuit）、他のチップセット、論理回路、及び／又はデータ処理装置を備えることができる。メモリは、ＲＯＭ（Read-Only Memory）、ＲＡＭ（Random Access Memory）、フラッシュメモリ、メモリカード、格納媒体、及び／又は他の格納装置を備えることができる。ＲＦ部は、無線周波数信号を処理するためのベースバンド回路を備えることができる。実施形態がソフトウェアで実現される場合、前述した技法は、前述した機能を行う（果たす）（perform）モジュール（処理、機能など）で実現されることができる。モジュールは、メモリに格納され、プロセッサにより実行されることができる。メモリは、プロセッサの内部又は外部にあり、よく知られた様々な手段でプロセッサと結合されることができる。
【０１５４】
上述した例示的なシステムにおいて、方法は、一連のステップ又はブロックとしてフローチャートを参照しながら（順序図に基づいて）（with reference to several flow diagrams）説明されているが、本発明は、ステップの順序に限定されるものではなく、あるステップは、上述とは異なる順序で、又は他のステップと同時に（in different orders or concurrently with other steps）実現（発生）できる。また、当業者であれば、フローチャートに示したステップが排他的ではなく、他のステップが含まれるか、フローチャートの１つ又は複数のステップが本発明の範囲に影響を及ぼさずに削除され得ることを理解できるであろう。
【図１】
0006505702.tif 000006
【図２】
0006505702.tif 000007
【図３】
0006505702.tif 000008
【図４】
0006505702.tif 000009
【図５】
0006505702.tif 000010